(57)【要約】【課題】ブロック別の電力供給手段と、電力供給手段を個別に制御する制御手段を具備する電力供給制御手段は、外部機器との間で受信する情報を基に電力供給手段を個別に制御することが要求されている。【解決手段】ブロック別の電力供給手段と、外部機器との間で情報を送受信する通信手段と、通信手段で受信する情報を基に電力供給手段を個別に制御する制御手段とを具備することにより、外部機器との間で受信する情報を基に電力供給手段を個別に制御することを特徴とする電力供給制御手段を提供する。【選択図】  図２
2004200847.tif 000002
【特許請求の範囲】
【請求項１】
ブロック別の電力供給手段と、外部機器との間で情報を送受信する通信手段と、前記通信手段で受信する情報を基に前記電力供給手段を個別に制御する制御手段とを具備することを特徴とする電力供給制御手段。
【請求項２】
前記通信手段で受信する情報は、前記外部機器の使用状態に関する情報、または前記外部機器からの命令情報であることを特徴とする請求項１記載の電力供給制御手段。
【請求項３】
前記通信手段で受信する情報は、前記外部機器の映像信号出力または音声信号出力の有無に関する情報であることを特徴とする請求項１記載の電力供給制御手段。
【請求項４】
前記通信手段で受信する情報は、前記外部機器に対する操作の発生の有無に関する情報であることを特徴とする請求項１記載の電力供給制御手段。
【発明の詳細な説明】
【０００１】
【発明の属する技術分野】
本発明は、外部機器との間で情報を送受信する通信手段で受信する情報を基にブロック別の電力供給手段を個別に制御することを特徴とする電力供給制御手段に関するものである。
【０００２】
【従来の技術】
従来、電力供給制御手段はブロック別の電力供給手段と、電力供給手段を個別に制御する制御手段のみを具備することを特徴とするものである（例えば特許文献１参照。）。
【０００３】
【特許文献１】
特開平５−１４６０６７号公報
【０００４】
【発明が解決しようとする課題】
このような電力供給制御手段においては、外部機器との間で情報を送受信する通信手段と、通信手段で受信する情報を基に電力供給手段を個別に制御することが要求されている。本発明は、ブロック別の電力供給手段と、外部機器との間で情報を送受信する通信手段と、通信手段で受信する情報を基に電力供給手段を個別に制御する制御手段とを具備することを特徴とする電力供給制御手段を提供することを目的としてなされたものである。
【０００５】
【課題を解決するための手段】
この課題を解決するために本発明の請求項１に記載の発明は、ブロック別の電力供給手段と、外部機器との間で情報を送受信する通信手段と、通信手段で受信する情報を基に電力供給手段を個別に制御する制御手段とを具備することを特徴とする電力供給制御手段としたものであり、通信手段で受信する情報を基に電力供給手段を個別に制御するという作用を有する。
【０００６】
請求項２に記載の発明は、通信手段で受信する情報は、外部機器の使用状態に関する情報、または外部機器からの命令情報であることを特徴とする請求項１記載の電力供給制御手段としたものであり、通信手段で受信する外部機器の使用状態に関する情報、または外部機器からの命令情報を基に電力供給手段を個別に制御するという作用を有する。
【０００７】
請求項３に記載の発明は、通信手段で受信する情報は、外部機器の映像信号出力または音声信号出力の有無に関する情報であることを特徴とする請求項１記載の電力供給制御手段としたものであり、通信手段で受信する外部機器の映像信号出力または音声信号出力の有無に関する情報を基に電力供給手段を個別に制御するという作用を有する。
【０００８】
請求項４に記載の発明は、通信手段で受信する情報は、外部機器に対する操作の発生の有無に関する情報であることを特徴とする請求項１記載の電力供給制御手段としたものであり、通信手段で受信する外部機器に対する操作の発生の有無に関する情報を基に電力供給手段を個別に制御するという作用を有する。
【０００９】
【発明の実施の形態】
以下本発明の実施の形態について、図１から図３を用いて説明する。
【００１０】
（実施の形態１）
図１は本発明の実施の形態１による電力供給制御手段のブロック図を示し、図１において、１は電力供給制御手段、２はＡ部電力供給手段、３はＢ部電力供給手段、４は制御手段、５は通信手段、６は外部機器を構成している。なお電力供給手段は本実施の形態１においてはＡ部電力供給手段２とＢ部電力供給手段３の２つより構成しているが、実施の形態としてさらに多くの電力供給手段より構成される場合も実施可能である。
【００１１】
以上のように構成された電力供給制御手段について、以下その動作について説明する。まず通信手段５が外部機器６との間で情報を受信する。通信手段５が受信した情報は、外部機器６の使用状態に関する情報、または外部機器６からの命令情報であり、例えば、外部機器６の映像信号出力または音声信号出力の有無に関する情報、または外部機器６に対する操作の発生の有無に関する情報である。次に制御手段４が通信手段５との間で前記情報を受信する。次に制御手段４が前記情報を基にＡ部電力供給手段２またはＢ部電力供給手段３を個別に制御する。
【００１２】
以上のように本実施形態によれば、通信手段で受信する情報を基に電力供給手段を個別に制御できる。
【００１３】
（実施の形態２）
次に、図２は実施の形態２によるＤＶＤプレーヤとテレビを示し、図２において、７はＤＶＤプレーヤ、８はＤＶＤ制御手段、９は映像出力手段、１０は音声出力手段、１１はＤＶＤ通信手段、１２はテレビ、１３は映像入力手段、１４は音声入力手段、１５はテレビ通信手段、１６は映像再生手段、１７は音声再生手段、１８はテレビ制御手段、１９は映像部電力供給手段、２０は音声部電力供給手段を構成している。図２において点線の矢印は映像または音声の信号を示し、２重線の矢印は電力の供給を示す。また図３はＤＶＤプレーヤ７とテレビ１２の状態遷移図を示す。
【００１４】
以上のように構成されたＤＶＤプレーヤとテレビについて、以下その動作について、図２と図３とを用いて説明する。ＳＴＥＰ１でＤＶＤプレーヤ７がＣＤのような映像信号の記録されていないソフトを再生する。ＳＴＥＰ２でＤＶＤ制御手段８が映像出力手段９に映像信号復調手段（図示せず）から映像信号が入力されているかどうか、および音声出力手段１０に音声信号復調手段（図示せず）から音声信号が入力されているかどうかを確認する。ＳＴＥＰ３で映像出力手段９は映像信号の入力が無い場合、映像信号を出力しない、またはブルーバック等の定められた信号を出力する。逆に映像出力手段９に映像信号の入力がある場合、映像信号を出力する。また、音声出力手段１０は音声信号の入力が無い場合、音声信号を出力しない。逆に音声出力手段１０に音声信号の入力がある場合、音声信号を出力する。ＣＤのような映像信号の記録されていないソフトを再生する場合、映像信号は無し、音声信号はありとなる。ＳＴＥＰ４でＤＶＤ制御手段８がＤＶＤ通信手段１１から映像信号の有無に関する情報と音声信号の有無に関する情報をテレビ通信手段１５に送信する。情報送信の手段としてＩ２Ｃインターフェース等の既知の通信手段を用いても良いし、またはＮＴＳＣ方式等のアナログ映像信号のブランキング期間に情報を格納しても良いし、またはデジタル変調された映像または音声信号に情報格納のためレジスタを設けても良い。デジタル変調された映像および音声信号の例としてＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）がｈｔｔｐ:／／ｗｗｗ.ｈｄｍｉ.ｏｒｇに示されている。ＨＤＭＩにおいて映像信号はＶｉｄｅｏ  Ｄａｔａ  Ｐｅｒｉｏｄに音声信号はＤａｔａ  Ｉｓｌａｎｄ  Ｐｅｒｉｏｄに格納される。ＳＴＥＰ５でテレビ制御手段１８がテレビ通信手段１５により受信した映像信号の有無に関する情報と音声信号の有無に関する情報を基に映像部電力供給手段１９または音声部電力供給手段２０を個別に制御する。ＣＤのような映像信号の記録されていないソフトを再生する場合、映像信号は無し、音声信号はありなので、映像部電力供給手段１９は映像再生手段１６への電力供給を行わないので、映像信号の再生はオフされる。ＳＴＥＰ６でＤＶＤプレーヤ７の使用者がＤＶＤプレーヤ７の操作手段（図示せず）により操作を行うと、ＳＴＥＰ７でＤＶＤ通信手段１１からテレビ１２へ操作が発生した情報をテレビ通信手段１５に送信する。操作が発生した場合、使用者の利便性を考え画面の表示を行うべきであり、ＳＴＥＰ８で映像部電力供給手段１９は映像再生手段１６への電力供給を行い、映像信号の再生をオンする。次に、ＤＶＤプレーヤ７の操作手段（図示せず）に操作が一定の期間発生しない場合（ＳＴＥＰ９）は、ＳＴＥＰ１０でＤＶＤ通信手段１１からＤＶＤプレーヤ７へ操作が発生していない情報をテレビ通信手段１５に送信する。ＳＴＥＰ１１でＳＴＥＰ１０の情報により映像部電力供給手段１９は映像再生手段１６への電力供給を行わないので、映像信号の再生はオフされる。ただし、使用者によっては操作の有無による画面表示のオン、オフを不要と考える場合もあり、操作の有無による画面表示のオン、オフを実施しないモ���ドを設けても良い。
【００１５】
ＤＶＤプレーヤ７がＪＰＥＧ等の静止画のみを記録したＣＤ−Ｒのような音声信号の記録されていないソフトを再生する場合（ＳＴＥＰ１２）は、ＳＴＥＰ１３でＤＶＤ制御手段８が映像出力手段９に映像信号復調手段（図示せず）から映像信号が入力されているかどうか、および音声出力手段１０に音声信号復調手段（図示せず）から音声信号が入力されているかどうかを確認する。ＳＴＥＰ１４で映像出力手段９は映像信号の入力が無い場合、映像信号を出力しない、またはブルーバック等の定められた信号を出力する。逆に映像出力手段９に映像信号の入力がある場合、映像信号を出力する。また、音声出力手段１０は音声信号の入力が無い場合、音声信号を出力しない。逆に音声出力手段１０に音声信号の入力がある場合、音声信号を出力する。ＪＰＥＧ等の静止画のみを記録したＣＤ−Ｒのような音声信号の記録されていないソフトを再生する場合、映像信号はあり、音声信号は無しとなる。ＳＴＥＰ１５でＤＶＤ制御手段８がＤＶＤ通信手段１１から映像信号の有無に関する情報と音声信号の有無に関する情報をテレビ通信手段１５に送信する。ＳＴＥＰ１６でテレビ制御手段１８がテレビ通信手段１５により受信した映像信号の有無に関する情報と音声信号の有無に関する情報を基に映像部電力供給手段１９または音声部電力供給手段２０を個別に制御する。ＪＰＥＧ等の静止画のみを記録したＣＤ−Ｒのような音声信号の記録されていないソフトを再生する場合、映像信号はあり、音声信号は無しなので、音声部電力供給手段２０は音声再生手段１７への電力供給を行わないので、音声信号の再生はオフされ、逆に映像部電力供給手段１９は映像再生手段１６への電力供給を行うので映像信号の再生はオンされる。
【００１６】
【発明の効果】
以上のように本発明によれば、ブロック別の電力供給手段と、外部機器との間で情報を送受信する通信手段と、通信手段で受信する情報を基に電力供給手段を個別に制御する制御手段とを具備することを特徴とする電力供給制御手段としたものであり、通信手段で受信する情報を基に電力供給手段を個別に制御するという作用を有するという有利な効果が得られる。
【図面の簡単な説明】
【図１】本発明の実施の形態１による電力供給制御手段のブロック図
【図２】本発明の実施の形態２によるＤＶＤプレーヤとテレビのブロック図
【図３】本発明の実施の形態２によるＤＶＤプレーヤとテレビの状態遷移図
【符号の説明】
１  電力供給制御手段
２  Ａ部電力供給手段
３  Ｂ部電力供給手段
４  制御手段
５  通信手段
６  外部機器
７  ＤＶＤプレーヤ
８  ＤＶＤ制御手段
９  映像出力手段
１０  音声出力手段
１１  ＤＶＤ通信手段
１２  テレビ
１３  映像入力手段
１４  音声入力手段
１５  テレビ通信手段
１６  映像再生手段
１７  音声再生手段
１８  テレビ制御手段
１９  映像部電力供給手段
２０  音声部電力供給手段
【図１】
2004200847.tif 000003
【図２】
2004200847.tif 000004
【図３】
2004200847.tif 000005